(57)【要約】【課題】壁部に設置される灯具を壁部に布設される電力ケーブルにコネクタを介して接続した構造において、万一、灯具が壁部から外れても地面への落下を防止できる灯具設置構造を提供すること。【解決手段】紐状体６は、一端が灯具１に取り付けられるとともに、分岐線３内の内部配線と分岐線３の長手方向に亘って互いに撚り合わされている。これにより、紐状体６は、一端に灯具１の荷重がかかったとしても分岐線３からの抜け落ちが抑止される。この結果、万一、灯具１が壁部５から外れても地面への落下を防止できる。【選択図】図１
2016181328.tif 000002
【特許請求の範囲】
【請求項１】
壁部に設置される灯具と、
前記壁部に布設される電力ケーブルに前記灯具を、電気的および機械的に接続するコネクタと、
前記電力ケーブル内の内部配線と前記電力ケーブルの長手方向に亘って互いに撚り合わされており、かつ、一端が前記灯具に取り付けられる紐状体と、
を有する灯具設置構造。
【請求項２】
前記電力ケーブルは、
導体と当該導体を被覆する絶縁体とを備える前記内部配線と、
前記内部配線と前記電力ケーブルの長手方向に亘って互いに撚り合わされた前記紐状体と、
撚り合わされた前記内部配線および前記紐状体を被覆するシースと、
前記シース内において、前記内部配線および前記紐状体以外の空間に充填された介在と、
を有する、請求項１に記載の灯具設置構造。
【請求項３】
前記紐状体と前記内部配線とが互いに撚り合わされている前記電力ケーブルは、幹線電力ケーブルから分岐した分岐電力ケーブルであり、
前記分岐電力ケーブルが前記幹線電力ケーブルから分岐する位置には分岐モールドが形成されており、
前記紐状体の一部は、前記分岐モールドに埋め込まれて前記分岐モールドによって支持されている、
請求項１または請求項２に記載の灯具設置構造。
【請求項４】
前記紐状体は、ワイヤが外被によって被覆されて構成されている、
請求項１から請求項３のいずれか一項に記載の灯具設置構造。
【発明の詳細な説明】
【技術分野】
【０００１】
本発明は、壁部に設置される灯具を壁部に布設される電力ケーブルにコネクタを介して接続した構造に関する。
【背景技術】
【０００２】
例えばトンネル内などにおいて、壁部には灯具が道路の長手方向所定間隔おきに設置されている。この多数の灯具には、壁部に道路の長手方向に沿って布設される電力ケーブルの幹線から分岐される分岐線が接続されることによって電力が供給されるようになっている。
【０００３】
灯具と分岐線とはコネクタを介して接続される。このコネクタは、プラグとレセプタクルとを対とするものであって、プラグまたはレセプタクルのいずれか一方が灯具の配線に、また、残り他方が分岐線にそれぞれ接続される(特許文献１参照)。
【先行技術文献】
【特許文献】
【０００４】
【特許文献１】特開２００３−３４６９７０号公報
【発明の概要】
【発明が解決しようとする課題】
【０００５】
上記特許文献１に記載されたコネクタは、仮に灯具が壁部から外れると、灯具の重量がコネクタに作用するようになる。このとき、灯具が重い場合には、プラグとレセプタクルとの接続が外れて、灯具が道路上に落下するおそれがある。
【０００６】
本発明は、以上の点を考慮してなされたもので、壁部に設置される灯具を壁部に布設される電力ケーブルにコネクタを介して接続した構造において、万一、灯具が壁部から外れても地面への落下を防止できる灯具設置構造を提供する。
【課題を解決するための手段】
【０００７】
本発明の灯具設置構造の一つの態様は、
壁部に設置される灯具と、
前記壁部に布設される電力ケーブルに前記灯具を、電気的および機械的に接続するコネクタと、
前記電力ケーブル内の内部配線と前記電力ケーブルの長手方向に亘って互いに撚り合わされており、かつ、一端が前記灯具に取り付けられる紐状体と、
を有する。
【発明の効果】
【０００８】
本発明によれば、灯具は壁部から外れた場合、紐状体の一端によって支持されてぶら下がった状態となる。このとき紐状体は、電力ケーブル内で内部配線と電力ケーブルの長手方向に亘って互いに撚り合わされているので、電力ケーブルにしっかりと絡みつき、一端に灯具の荷重がかかったとしても電力ケーブルからの抜け落ちが抑止される。この結果、万一、灯具が壁部から外れても地面への落下を防止できる。
【図面の簡単な説明】
【０００９】
【図１】実施の形態に係る灯具設置構造の全体構成を示す側面図
【図２】第１部材と第２部材とを分離した状態を示す側面図
【図３】第１部材および第２部材の断面図
【図４】分岐線の構成の説明に供する側面図
【図５】図４のＡ−Ａ’断面を示す断面図
【図６】内部配線と紐状体とが撚り合わされた様子を示す側面図
【図７】図７Ａは荷重がかかる前の紐状体の状態を示す模式図、図７Ｂは荷重がかかった後の紐状体の状態を示す模式図
【図８】紐状体の一部を分岐モールドに埋め込んだ例を示す図
【図９】紐状体の一部を分岐モールドに埋め込んだ例を示す図
【図１０】紐状体の一部を分岐モールドに埋め込んだ例を示す図
【図１１】実施の形態の灯具設置構造を道路トンネルに適用した例を示す図
【図１２】図１１のＢ−Ｂ’断面を示す断面図
【図１３】灯具への紐状体の他の取り付け例を示す側面図
【発明を実施するための形態】
【００１０】
以下、本発明の実施の形態について図面を参照して詳細に説明する。
【００１１】
（１）全体構成
図１から図３に、実施の形態に係る灯具設置構造の全体構成を示す。図中、１は灯具、２は電力ケーブルの幹線、３は電力ケーブルの分岐線、４はコネクタである。
【００１２】
灯具１は、適宜の壁部５に設置される。灯具１は、壁部５に布設される電力ケーブルの幹線２に、分岐線３およびコネクタ４を介して接続されている。
【００１３】
コネクタ４は、第１部材２０と、第２部材３０とを対とする構成である。第１部材２０は雄端子２１を有するとともに第２部材３０は雌端子３１を有する。第１部材２０と第２部材３０は、雄端子２１と雌端子３１とが合致嵌合されることによって電気的に接続されるようになっている。
【００１４】
次に、図２および図３を参照して、第１、第２部材２０、３０の構成を詳細に説明する。
【００１５】
第１部材２０は、「レセプタクル」と呼ばれるものであって、灯具１のケース１ａの１辺の内外に貫通する状態で取り付けられる。この第１部材２０は、ボディ２２、中子２３、締め付けリング２４を備えている。
【００１６】
ボディ２２と中子２３とは、素材が異種とされていて、それらは例えばインサート成形などにより一体に形成されている。なお、これらは、同一素材で形成することが可能であり、また、一体物として形成することも可能である。
【００１７】
中子２３は、複数の雄端子２１が取り付けられるものであって、灯具１のケース１ａの外側に突出する外側領域２３ａと、灯具１のケース１ａの内側に突出する内側領域２３ｂと、外側領域２３ａと内側領域２３ｂとの間に設けられる中間領域２３ｃとを有している。
【００１８】
この中子２３の外側領域２３ａは筒状に形成される。また、この中子２３の内側領域２３ｂおよび中間領域２３ｃには、複数の雄端子２１が個別に収納される貫通孔（符号省略）が設けられている。複数の雄端子２１のそれぞれの一端部（ケース１ａ側）は、当該各貫通孔内で灯具１の複数の配線１ｂのそれぞれに電気的に接続され、複数の雄端子２１のそれぞれの他端部（第２部材３０と嵌合する側の端部）は、中子２３の中間領域２３ｃから外側領域２３ａの内側空間に突出するように設けられている（図３参照）。
【００１９】
ボディ２２は、中子２３の外側領域２３ａおよび中間領域２３ｃの外周側に一体に結合されている。このボディ２２は、筒部２２ａと、筒部２２ａの軸方向一端側（ケース１ａ側）に設けられる径方向外向きの２段鍔部２２ｂとを有している。
【００２０】
締め付けリング２４は、第１部材２０を灯具１のケース１ａに固定するために用いられるものである。締め付けリング２４が、中子２３の内側領域２３ｂの外周に螺合されることで、この締め付けリング２４とボディ２２の２段鍔部２２ｂの大径部分とでケース１ａの１辺が挟まれ、これにより第１部材２０が灯具１のケース１ａに固定されるようになっている。
【００２１】
第２部材３０は、例えば「プラグ」と呼ばれるものであって、電力ケーブルの分岐線３の先端に取り付けられる。この第２部材３０は、ボディ３２、ハウジング３３、防水キャップ３４、ロックキャップ３５を備えている。
【００２２】
ボディ３２内に固定されるハウジング３３には、複数の雌端子３１が個別に収納される貫通孔（符号省略）が設けられている。当該各貫通孔内で複数の雌端子３１に分岐線３の複数の内部配線３ｂがそれぞれ対応して電気的に接続されている。
【００２３】
ボディ３２は、外径が一方向に大、中、小と段階的に縮径された円筒部材からなる。このボディ３２の大径部３２ａの中心部分には、軸方向中央へ向けて凹む凹部３２ｄが設けられており、この凹部３２ｄ内にハウジング３３が嵌合固定されるようになっている。ボディ３２の小径部３２ｂの中心部分にも、軸方向中央へ向けて凹む凹部３２ｅが設けられており、この凹部３２ｅ内に分岐線３の先端が合致嵌合された状態で固定されるようになっている。ボディ３２の中径部３２ｃには、分岐線３の内部配線３ｂが個別に挿通される貫通孔（符号省略）が設けられている。
【００２４】
ハウジング３３は、複数の雌端子３１が取り付けられるものであって、複数の雌端子３１が個別に取り付けられる貫通孔（符号省略）が設けられている。このハウジング３３の各貫通孔内で複数の雌端子３１に分岐線３の複数の内部配線３ｂがそれぞれ対応して電気的に接続される。そして、ハウジング３３の外形は、第１部材２０の中子２３の外側領域２３ａ内に合致して嵌め入れられるような形状とされている。
【００２５】
防水キャップ３４は、外径が異径の円筒部材とされており、電力ケーブルの分岐線３が挿通される。この防水キャップ３４は、ボディ３２の小径部３２ｂおよび中径部３２ｃの外径側に嵌合装着されることによってハウジング３３の雌端子３１と分岐線３の内部配線３ｂとの接続部分を外部から覆い隠すようになっている。
【００２６】
ロックキャップ３５は、第２部材３０を第１部材２０に連結する（つまり機械的に接続する）ために用いられるものである。このロックキャップ３５は、ボディ３２の大径部３２ａの外周側に軸方向ならびに円周方向に相対変位可能に取り付けられており、第１部材２０のボディ２２の２段鍔部２２ｂの小径部外周に係合されることにより第２部材３０を第１部材２０に連結する。
【００２７】
本実施の形態では、この係合の方法として、ロックキャップ３５の内周面の円周数ヶ所（例えば２ヶ所）に設けられる突起３５ａを、２段鍔部２２ｂの小径部外周面の円周数ヶ所（例えば２ヶ所に設けられるロック溝２２ｄに係入させる形態を採用している。
【００２８】
つまり、ロックキャップ３５の突起３５ａをロック溝２２ｄの入口に位置合わせしておいて、ロックキャップ３５を２段鍔部２２ｂの小径部外周に軸方向から嵌め入れてから、ロックキャップ３５を所定方向に所定角度回転させるように操作することで、第１部材２０と第２部材３０とが連結された状態で非分離にロックされる。
【００２９】
そして、第１部材２０と第２部材３０とを分離するときには、ロックキャップ３５をロック時と逆向きに回転させてから、軸方向に引き抜くように操作すればよい。
【００３０】
ところで、突起３５ａとロック溝２２ｄの入口との位置合わせは、ロックキャップ３５に設けられる位置合わせマーク３５ｂと、第１部材２０のボディ２２の２段鍔部２２ｂの大径部分に設けられる位置合わせマーク２２ｅとにより、目視にて簡単に行えるようになっている。
【００３１】
（２）灯具の落下防止のための構成
本実施形態では、万一、灯具１が壁部５から外れたときに、当該灯具１が地面に落下することを防止するように工夫している。以下、その落下防止のための構成について説明する。
【００３２】
図４および図５に示すように、本実施の形態の分岐線３は、シース３ａ内に、３本の内部配線３ｂに加えて紐状体６が設けられている。図５は、図４におけるＡ−Ａ’断面を示すものである。
【００３３】
各内部配線３ｂは、銅など導体３ｂ１がＰＶＣ（ポリ塩化ビニル）などの絶縁体３ｂ２によって被覆されて構成されている。
【００３４】
紐状体６は、ワイヤ６ａが外被６ｂによって被覆されて構成されている。ワイヤ６ａは例えば金属材料などの引っ張り強度の高い材料によって構成されている。ワイヤ６ａは、強度と腐食性の観点から特にステンレスワイヤが好ましい。外被６ｂは例えばＰＶＣなどによって構成されている。外被６ｂは、紐状体６が分岐線３から外部に引き出された場合、つまり紐状体６がシース３ａの外部に引き出された場合に、ワイヤ６ａが外部環境に直接曝されることでワイヤ６ａの強度が水分によって劣化したり、さらにその水分が分岐線３内に入り込むことを防止できるようになっている。図１の実施形態において、防水キャップ３４の外周へ引き出された紐状体６と防水キャップ３４とは密着しているため、この部分からコネクタ４内、ひいては分岐線３内への水の浸入を防止することができる。
【００３５】
シース３ａ内における内部配線３ｂおよび紐状体６以外の空間には、合成樹脂繊維や綿糸などからなる介在３ｃが充填されている。介在３ｃの外周に押さえテープが巻かれていてもよい。
【００３６】
図６は、分岐線３のうち、内部配線３ｂと紐状体６の様子を示すものである。内部配線３ｂと紐状体６は、分岐線３の長手方向に亘って互いに撚り合わされている。このため、図１の側面図において、紐状体６は正確には分岐線３内で蛇行するように示されるべきであるが、図１では図を簡単化するため分岐線３内の紐状体６は直線で示した。後述する図８から図１０、及び図１３でも同様に、紐状体６は正確には分岐線３内で蛇行するように示されるべきであるが、図を簡単化するため分岐線３内の紐状体６は直線で示した。
【００３７】
紐状体６の一端は、図３に示すように、第２部材３０の位置において分岐線３の終端から引き出されている。そして、その一端は、図１に示すように、灯具１に設けられた係止部７に取り付けられる。具体的に説明すると、灯具１には、ループ状のフックである係止部７が設けられており、この係上部７のループ内に紐状体６の一端側を通してから折り返して紐状体６の途中部分所定位置に寄り添わせ、そこを加締め具８で加締めることで、紐状体６の一端が灯具１に取り付けられる。なお、図１の実施形態では、紐状体６の一端部においてワイヤ６ａは外被６ｂで覆われているが、取り付ける現地で長さ調整のために切断した場合などは、ワイヤ６ａが露出するため、紐状体６の一端部で防水処理が必要となる。また、加締め具８で加締めた部分は、外被６が破れてワイヤ６ａが露出する可能性があるため、防水処理が必要となる。
【００３８】
紐状体６の他端は、分岐線３が幹線２と分岐する位置で止まっている。換言すると、紐状体６は、分岐線３の全長に亘って、内部配線３ｂと互いに撚り合わされている。
【００３９】
以上の構成において、灯具１が壁部５から外れた場合、灯具１は紐状体６の一端によって支持されてぶら下がった状態となる。このとき紐状体６は、分岐線３内で内部配線３ｂと互いに撚り合わされているので、内部配線３ｂにしっかりと絡みつき、一端に灯具１の落下荷重がかかったとしても分岐線３から抜け落ちることがない。
【００４０】
図７Ａおよび図７Ｂは、それぞれ、荷重がかかる前の紐状体６の状態と荷重がかかった後の紐状体６の状態を模式的に示したものである。荷重がかかる前は、紐状体６は内部配線３ｂと撚り合わされているので図７Ａに示すように撓んだ状態となっている。灯具１の落下による荷重がかかると、紐状体６に引っ張り力がかかるので、紐状体６は図７Ｂに示すように張った状態となる。このとき、紐状体６は内部配線３ｂと撚り合わされていることにより、紐状体６が張る過程において、内部配線３ｂの絶縁体３ｂ２や介在３ｃ、シース３ａなどが変形して、紐状体６が引っ張られることによる衝撃が吸収される。このようにして、分岐線３からの紐状体６の抜け落ちが抑止される。
【００４１】
なお、分岐線３からの紐状体６の抜け落ちを抑止することを考えた場合、紐状体６が分岐線３内に延在する長さは、できるだけ長い方が好ましい。また、紐状体６と内部配線３ｂとの撚り合わせピッチも考慮する必要がある。実施例では、φ２ｍｍの紐状体６を用いた場合には撚りピッチを１４５ｍｍ程度とし、φ３ｍｍの紐状体６を用いた場合には撚りピッチを１６５ｍｍ程度とした。このような撚りピッチで、かつ、紐状体６が分岐線３内に延在する長さを所定の長さ（ここでは１ｍ以上）に構成することで、４０ｋｇ程度の灯具１が５００ｍｍ程度落下しても、紐状体６が分岐線３から抜け落ちるのを抑制できることが分かった。
【００４２】
なお、紐状体６は分岐線３内のみに限らず、その一部を分岐モールド１０に埋め込むようにしてもよい。このようにすれば、紐状体６は分岐モールド１０によっても支持されるので、灯具１の落下に対する耐荷重をより大きくすることができる。
【００４３】
図８から図１０は、その例を示す模式図である。ちなみに、幹線２と分岐線３との接続は、分岐線３内の各内部配線３ｂを幹線２の分岐スリーブ（図示せず）に電気的に接続した後、その上からモールド樹脂によって一括モールドすることにより行われる。紐状体６を分岐モールド１０に埋め込むには、分岐線３のシース３ａから表出した紐状体６をモールド樹脂に埋め込めばよい。図８は紐状体６の他端（灯具取付側と反対端）を分岐モールド１０に埋め込んだ例であり、分岐線３内のみに紐状体６を延在させた場合よりも耐荷重を大きくすることができる。図９は紐状体６の他端（灯具取付側と反対端）にループ６ｃを形成し、このループ６ｃを分岐モールド１０に埋め込んだ例であり、図８の例よりもさらに耐荷重を大きくすることができる。さらに、図１０に示すように、ループ６ｃを分岐モールド１０に埋め込まずに紐状体６の他端（灯具取付側と反対端）が露出するように紐状体６の他端部近傍を分岐モールド１０に埋め込み、ループ６ｃをアンカーなどの外部の固定部（図示せず）に取り付けてもよい。この場合、ループ６ｃを形成している加締め部分には、図１の加締め具８と同様に防水処理が必要となる。
【００４４】
ちなみに、上述した灯具１の設置場所については、例えば図１１および図１２に示すように、壁部５を道路４１のトンネル４２内の内壁部とすることができる。その場合、万一、灯具１が壁部５から脱落したときでも、この灯具１が紐状体６にぶら下がることになって、道路４１上に落下することを防止できるようになる。
【００４５】
以上説明したように、本実施の形態によれば、電力ケーブル内の内部配線３ｂと電力ケーブルの長手方向に亘って互いに撚り合わされており、かつ、一端が灯具１に取り付けられる紐状体６を設けたことにより、万一、灯具１が壁部５から外れても地面への落下を防止し得る灯具設置構造を実現できる。また、紐状体６の灯具１に取り付けられる一端に対する他端を、他の固定部に別途取り付ける必要がなくなるので、取り付け作業が容易となる。
【００４６】
また、紐状体６の一部を分岐モールド１０に埋め込むようにした場合、これにより紐状体６の分岐線３からの抜け落ちをより抑止できるようになり、灯具１の地面への落下をより確実に防止できるようになる。
【００４７】
なお、上述の実施の形態では、３本の内部配線３ｂと１本の紐状体６とを撚り合わせた場合について述べたが、撚り合わせる内部配線３ｂおよび紐状体６の数はこれに限らない。例えば２〜６本の内部配線３ｂと、１あるいは複数の紐状体６とを撚り合わせてもよい。
【００４８】
また、上述の実施の形態では、分岐線３内で紐状体６と内部配線３ｂとを撚り合わせた場合について述べたが、本発明はこれに限らず、要は、一端が灯具に取り付けられた紐状体を、電力ケーブル内の内部配線と電力ケーブルの長手方向に亘って互いに撚り合わせればよい。
【００４９】
また、上述の実施の形態では、紐状体６の一端は灯具１に設けられた係止部７に取り付けた場合について述べたが、本発明はこれに限らず、例えば、紐状体６の一端にカラビナ等のフックを取り付け、このフックを係止部７に引っ掛けるようにしてもよい。
【００５０】
また、図１３のように、紐状体６の一端のループ部分を、灯具１を取り付けている金属板７Ａのボルト孔７Ｂに合わせて、ボルト、座金及びナット等の固定手段（図示せず）により固定してもよい。固定手段はこれに限定されない。図１３の実施例では、防水キャップ３４から引き出された紐状体６の先端は、加締め具８によってループ状に形成され、ループ部分、加締め具８及び紐状体６の一端を覆うようにＰＶＣ等の樹脂で防水層９がモールド成形されている。この防水層９により、分岐線３内への水の浸入を防止することができる。このような形態の場合、モールド成形による防水層９は予め工場で形成できることから、組立を行う現地では、紐状体６の一端の防水処理は不要となり、現地での組立作業の簡略化の点で望ましい。
【００５１】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００５２】
本発明は、壁部に設置される灯具を壁部に布設される電力ケーブルにコネクタを介して接続した構造に好適である。
【符号の説明】
【００５３】
１  灯具
２  幹線
３  分岐線
４  コネクタ
５  壁部
６  紐状体
６ａ  ワイヤ
６ｂ  外被
６ｃ  ループ
７  係止部
１０  分岐モールド
【図１】
2016181328.tif 000003
【図２】
2016181328.tif 000004
【図３】
2016181328.tif 000005
【図４】
2016181328.tif 000006
【図５】
2016181328.tif 000007
【図６】
2016181328.tif 000008
【図７】
2016181328.tif 000009
【図８】
2016181328.tif 000010
【図９】
2016181328.tif 000011
【図１０】
2016181328.tif 000012
【図１１】
2016181328.tif 000013
【図１２】
2016181328.tif 000014
【図１３】
2016181328.tif 000015